(57)【特許請求の範囲】
【請求項１】
濃縮処理を行うべき被濃縮液を受容する手段、前記被濃縮液を受容する手段に被濃縮液を供給する手段、および被濃縮液の溶媒を蒸発させて濃縮処理を行う蒸発手段を備えた濃縮装置であって、
被濃縮液の電気伝導度を測定する手段および前記被濃縮液を受容する手段への被濃縮液の供給流量を測定する手段が、前記被濃縮液を供給する手段内を流れる被濃縮液の電気伝導度および供給流量を連続的に測定可能に取り付けられ、さらに、電気伝導度と供給流量との積を演算する演算手段および得られた積を積算する積算手段、ならびに電気伝導度、供給流量および電気伝導度と供給流量との積の積算値をモニタリング可能な機能を有する手段を備え、ここに、被濃縮液が、中性アミノ酸、ペプチド、核酸塩基、ヌクレオシド、糖類、およびビタミン類よりなる群から選択される非電解質または弱電解質および強電解質が共存している溶液であって、非電解質または弱電解質を濃縮晶析することを特徴とする、濃縮装置。
【請求項２】
被濃縮液を受容する手段に被濃縮液を供給し、次いで被濃縮液の溶媒を蒸発させて濃縮処理を行う濃縮方法であって、
被濃縮液を供給する手段内を流れる被濃縮液の電気伝導度および供給流量を測定し、測定された電気伝導度と供給流量との積を演算し、さらに、この積を積算することによって得られた積算値が所定の値に達した時点で濃縮処理を終了し、ここに、被濃縮液が、中性アミノ酸、ペプチド、核酸塩基、ヌクレオシド、糖類、およびビタミン類よりなる群から選択される非電解質または弱電解質および強電解質が共存している溶液であって、非電解質または弱電解質を濃縮晶析することを特徴とする濃縮方法。
【請求項３】
中性アミノ酸が、セリン、グルタミン、アラニン、ロイシン、バリン、イソロイシン、グリシン、フェニルアラニン、プロリン、チロシン、スレオニン、トリプトファン、メチオニン、システイン、シスチンおよびアスパラギンよりなる群から選択される請求項２に記載の濃縮方法。
【請求項４】
ペプチドが、ジペプチドまたはトリペプチドである請求項２に記載の濃縮方法。
【請求項５】
ペプチドが、アラニルグルタミンまたはグルタチオンである請求項２に記載の濃縮方法。
【請求項６】
核酸塩基が、アデニン、シトシン、グアニン、ヒポキサンチン、チミン、ウラシルおよびキサンチンよりなる群から選択される請求項２に記載の濃縮方法。
【請求項７】
ヌクレオシドが、アデノシン、シチジン、グアノシン、イノシンおよびウリジンよりなる群から選択される請求項２に記載の方法。
【請求項８】
糖類が、単糖または２〜５糖のオリゴ糖である請求項２に記載の濃縮方法。
【請求項９】
糖類が、６糖以上のオリゴ糖である請求項２に記載の濃縮方法。
【請求項１０】
ビタミン類が、ビタミンＢ１、ビタミンＢ２、ビタミンＢ６、ニコチン酸、パントテン酸、葉酸、ビオチン、イノシトール、コリン、ビタミンＢ１２、ビタミンＣ、ビタミンＬ１、ビタミンＰ、パラアミノ安息香酸、リポ酸、オロット酸、カルニチンおよびメチルメチオニンよりなる群から選択される請求項２に記載の濃縮方法。
【発明の詳細な説明】
【技術分野】
【０００１】
本発明は、アミノ酸、ジペプチド、トリペプチド、核酸塩基、ヌクレオシド、糖類、あるいはビタミン類の天然物を単離精製するための装置および方法に関する。より詳しくは、本発明は、天然物を含有する溶液から天然物を濃縮晶析する際、濃縮装置に供給される塩の総量を測定して適正な濃縮度に管理することによって、高純度の天然物を単離精製するための装置および方法を提供する。
【背景技術】
【０００２】
アミノ酸やペプチド等の天然物や合成物等の成分を含有する溶液から目的の成分を単離精製する方法として、例えば、濃縮晶析等による結晶化が行われている。
例えば、特許第２６６８９５６号明細書には、イオン交換樹脂に吸着させて、アルカリで溶離して晶析する従来方法における排水処理の問題を解決しつつ、高品質のアミノ酸を高い回収率で単離するための濃縮晶析および冷却晶析を併用した方法が開示されている。また、特許第３５２５１２６号明細書には、温度差を利用して結晶多形が制御されたアミノ酸の結晶を得ることができる濃縮晶析方法が開示されている。【０００３】
濃縮晶析において、目的物質を含有する溶液の濃縮度を高く設定することが高回収率に繋がるため、できるだけ高い濃縮度に設定する必要がある。しかし、通常、天然物の被濃縮液には目的物質の他に、天然物を発酵等で製造するときの添加物や、天然物を精製するときの酸処理、アルカリ処理または中和処理に用いる処理剤として、硫酸ナトリウム、リン酸アンモニウム、塩化ナトリウム等の塩のごとき強電解質であるものも含まれている。このため、適正な濃縮度管理を行なわなければ、目的物質のみならず強電解質の結晶も析出してしまい、目的物質の純度が低下する。
濃縮度を管理して適正な濃縮度を保つためには、被濃縮液中に含まれる塩の総量を知る必要がある。バッチ式による濃縮晶析であれば、仕込み液の塩濃度から塩の総量を求めることは容易である。しかし、連続式あるいはフェドバッチ式（ある時間連続式で濃縮晶析を継続したら、そこで濃縮晶析操作を打ち切って濃縮缶内のスラリーを全量排出し、改めて次の濃縮晶析操作を開始する方式）の場合、常に塩濃度が一定の被濃縮液が濃縮装置に供給されるわけではなく、また濃縮装置内の均一なサンプルを取得することができないため、濃縮装置内に供給される塩の総量を求めることは困難であった。そのため、濃縮装置内の塩濃度を把握することができず、目的物質ではない塩の結晶が不測に析出することを回避するためには、塩濃度が塩の析出する濃度に達しないような余裕をもった低い濃縮度に設定する必要がある。
そこで、連続式あるいはフェドバッチ式濃縮晶析において適正な濃縮度管理方法が求められていた。【０００４】
【特許文献１】特許第２６６８９５６号明細書
【特許文献２】特許第３５２５１２６号明細書
【発明の開示】
【発明が解決しようとする課題】
【０００５】
本発明の目的は、連続式あるいはフェドバッチ式濃縮晶析においても適正な濃縮度を管理して、品質の安定した天然物を高回収率で単離する方法を提供することにある。
【課題を解決するための手段】
【０００６】
本発明は、以下の（１）〜（１４）に関する。
（１）  濃縮処理を行うべき被濃縮液を受容する手段、前記被濃縮液を受容する手段に被濃縮液を供給する手段、および被濃縮液の溶媒を蒸発させて濃縮処理を行う蒸発手段を備えた濃縮装置であって、
被濃縮液の電気伝導度を測定する手段および前記被濃縮液を受容する手段への被濃縮液の供給流量を測定する手段が、前記被濃縮液を供給する手段内を流れる被濃縮液の電気伝導度および供給流量を連続的に測定可能に取り付けられていることを特徴とする濃縮装置。
（２）  さらに、電気伝導度と供給流量との積を演算する演算手段および得られた積を積算する積算手段を備えたことを特徴とする（１）に記載の濃縮装置。
（３）  さらに、電気伝導度、供給流量および電気伝導度と供給流量との積の積算値をモニタリング可能な機能を有する手段を備えた（２）に記載の濃縮装置。
（４）  被濃縮液を受容する手段に被濃縮液を供給し、次いで被濃縮液の溶媒を蒸発させて濃縮処理を行う濃縮方法であって、
被濃縮液を供給する手段内を流れる被濃縮液の電気伝導度および供給流量を測定し、測定された電気伝導度と供給流量との積を演算し、さらに、この積を積算することによって得られた積算値が所定の値に達した時点で濃縮処理を終了することを特徴とする濃縮方法。
（５）  被濃縮液が、非電解質または弱電解質および強電解質が共存している溶液であって、非電解質または弱電解質を濃縮晶析する（４）に記載の濃縮方法。
（６）  非電解質または弱電解質が、中性アミノ酸、ペプチド、核酸塩基、ヌクレオシド、糖類、およびビタミン類よりなる群から選択される（５）に記載の濃縮方法。
（７）  中性アミノ酸が、セリン、グルタミン、アラニン、ロイシン、バリン、イソロイシン、グリシン、フェニルアラニン、プロリン、チロシン、スレオニン、トリプトファン、メチオニン、システイン、シスチンおよびアスパラギンよりなる群から選択される（６）に記載の濃縮方法。
（８）  ペプチドが、ジペプチドまたはトリペプチドである（６）に記載の濃縮方法。
（９）  ペプチドが、アラニルグルタミンまたはグルタチオンである（６）に記載の濃縮方法。
（１０）  核酸塩基が、アデニン、シトシン、グアニン、ヒポキサンチン、チミン、ウラシルおよびキサンチンよりなる群から選択される（６）に記載の濃縮方法。
（１１）  ヌクレオシドが、アデノシン、シチジン、グアノシン、イノシンおよびウリジンよりなる群から選択される（６）に記載の方法。
（１２）  糖類が、単糖または２〜５糖のオリゴ糖である（６）に記載の濃縮方法。
（１３）  糖類が、６糖以上のオリゴ糖である（６）に記載の濃縮方法。
（１４）  ビタミン類が、ビタミンＢ１、ビタミンＢ２、ビタミンＢ６、ニコチン酸、パントテン酸、葉酸、ビオチン、イノシトール、コリン、ビタミンＢ１２、ビタミンＣ、ビタミンＬ１、ビタミンＰ、パラアミノ安息香酸、リポ酸、オロット酸、カルニチンおよびメチルメチオニンよりなる群から選択される（６）に記載の濃縮方法。【０００７】
本発明の濃縮装置は、濃縮処理を行うべき被濃縮液を受容する手段として濃縮缶、前記被濃縮液を受容する手段に被濃縮液を供給する手段として被濃縮液供給配管、および被濃縮液の溶媒を蒸発させて濃縮処理を行う蒸発手段として加熱装置や真空装置を備える。
本発明においては、加熱、減圧または減圧加熱によって溶媒を蒸発させることによって被濃縮液の濃縮晶析を行う。【０００８】
さらに、本発明の濃縮装置は、被濃縮液の電気伝導度を測定する電気伝導計および前記被濃縮液を受容する手段への被濃縮液の供給流量を測定する流量計を備える。
本発明の装置は上記の構成をとっているため、好ましくは供給する被濃縮液の濃度を結晶が存在しない程度の濃度とすれば、電気伝導度の測定異常を起こすこともなく、長期間の測定が可能となる。このため、電気伝導計を濃縮缶の内部に有する装置にみられるような濃縮缶内に生成する結晶等の固形物に起因する測定値の不正確性および高濃度の溶液により電気伝導計のセンサー部に生じるスケーリングに起因する測定異常といった問題は生じない。【０００９】
本発明において、被濃縮液の電気伝導度および供給流量を連続的に測定する。電気伝導度は被濃縮液の塩濃度と相関するため、電気伝導度と供給流量との積は、間接的に単位時間あたりに濃縮缶に供給される塩の量を表す。この積を濃縮開始時刻からある時刻まで積算して求められた積算値から、その時刻までに濃縮缶に供給された塩の総量を求めることができる。
濃縮缶内の被濃縮液量が一定であれば、積算値からその時刻における濃縮缶内の被濃縮液の塩濃度を決定することができる。濃縮して得られる目的物質が非電解質である場合、電気伝導度の測定により求められた濃縮缶内での被濃縮液の塩濃度は、そのまま不純物である塩、すなわち強電解質の濃度を表すことになる。このため、濃縮晶析を終了する時点での塩濃度を常に一定とすることによって、品質の安定した濃縮が可能となる。また、不純物として塩が析出せず、得られる結晶の純度が低下しない最大の塩の総量を予め決定しておき、その最大の塩の総量に対応する所定値を設定する。積算値が所定値に達した時点で濃縮処理を終了することによって、高濃縮度での濃縮となり、高回収率で、高い純度の結晶を製造できる。【００１０】
濃縮して得られる目的物質が水溶液に電離する物質であっても、被濃縮液の溶媒として目的物質が電離しない溶液または目的物質の等電点付近の溶液を用いることにより、電気伝導度の測定により求められた濃縮缶内での被濃縮液の塩濃度は、そのまま不純物である塩すなわち強電解質の濃度を表すことになる。したがって、上記のように、高濃縮度の濃縮が可能となり、高回収率で、高い純度の結晶を製造できる。
濃縮して得られる目的物質が弱電解質、すなわち被濃縮液中にあまり電離せずに溶解する物質である場合、その物質の一部が電離することに起因する電気伝導度は、電気伝導度の測定にほぼ影響を及ぼさないため、電気伝導度の測定により求められた濃縮缶内での被濃縮液の濃度は、そのまま不純物である塩の濃度、すなわち強電解質の濃度を表すとみなせる。したがって、上記のように、高濃縮度の濃縮が可能であり、高回収率で、高い純度の結晶を製造できる。
弱電解質としては、被濃縮液に１ｍｏｌ／Ｌの濃度で溶解させたときの電離度が０．０５以下、好ましくは０．０１以下の物質が挙げられる。【００１１】
本発明の濃縮方法を適応して結晶として得ることができる非電解質または弱電解質としては、被濃縮液に１ｍｏｌ／Ｌの濃度で溶解させたときの電離度が０．０５以下、好ましくは０．０１以下の物質が挙げられ、中性アミノ酸、ペプチド、核酸塩基、ヌクレオシド、糖類、またはビタミン類を挙げることができ、好ましくは、中性アミノ酸、ペプチド、または糖類を挙げることができる。
中性アミノ酸としては、例えば、セリン、グルタミン、アラニン、ロイシン、バリン、イソロイシン、グリシン、フェニルアラニン、プロリン、チロシン、スレオニン、トリプトファン、メチオニン、システイン、シスチン、アスパラギンが挙げられる。
ペプチドとしては、ジペプチドおよびトリペプチドが挙げられ、ジペプチドとしては、例えば、アラニルグルタミン、トリペプチドとしては、例えば、グルタチオンが挙げられる。
核酸塩基としては、例えば、アデニン、シトシン、グアニン、ヒポキサンチン、チミン、ウラシル、キサンチンが挙げられる。
ヌクレオシドとしては、例えば、アデノシン、シチジン、グアノシン、イノシン、ウリジンが挙げられる。
糖類としては、例えば、単糖、２〜５糖のオリゴ糖または６糖以上のオリゴ糖が挙げられる。
ビタミン類としては、例えば、ビタミンＢ１、ビタミンＢ２、ビタミンＢ６、ニコチン酸、パントテン酸、葉酸、ビオチン、イノシトール、コリン、ビタミンＢ１２、ビタミンＣ、ビタミンＬ１、ビタミンＰ、パラアミノ安息香酸、リポ酸、オロット酸、カルニチン、メチルメチオニンが挙げられる。【００１２】
本発明において、被濃縮液中に含有される強電解質としては、被濃縮液に１ｍｏｌ／Ｌの濃度で溶解させたときの電離度が０．１以上、好ましくは０．５以上、さらに好ましくは０．７以上、最も好ましくは０．９以上の物質が挙げられ、無機物や有機物の塩が挙げられる。例えば、ナトリウム塩、アンモニウム塩、カリウム塩、カルシウム塩等を挙げることができ、具体的には、硫酸ナトリウム、塩化ナトリウム、リン酸アンモニウム、硫酸アンモニウム、塩化アンモニウム、リン酸アンモニウム、硫酸カリウム、塩化カリウム、リン酸カリウム等の無機塩が挙げられる。【００１３】
本発明の方法で供給される被濃縮液としては、非電解質または弱電解質と強電解質とを含む溶液であればどのようなものでもよいが、非電解質または弱電解質を生産する能力を有する微生物を培養して得られる培養物から微生物を除去した溶液、酵素や組換え微生物などの生体触媒を用いて生成させた非電解質または弱電解質を含有する溶液、化学合成により生成させた非電解質または弱電解質を含有する溶液などを挙げることができる。
【発明の効果】
【００１４】
本発明によれば、連続式あるいはフェドバッチ式濃縮晶析において、高回収率、かつ、品質の安定した天然物の単離体を得ることができる。
【図面の簡単な説明】
【００１５】
【図１】本発明における濃縮装置の概略図である。
【図２】本発明における濃縮手順のブロック図である。
【図３】本発明におけるＬ−ロイシン濃縮晶析時の積算値Ｑと濃縮処理液の電気伝導度の関係を示したグラフである。
【符号の説明】
【００１６】
１  濃縮缶
２  被濃縮液タンク
３  ポンプ
４  被濃縮液供給配管
５  流量計
６  電気伝導度計
７  ジャケット
８  蒸気供給口
９  蒸気排出口
１０  真空配管
１１  液面計
１２  スラリー払出し配管
【発明を実施するための最良の形態】
【００１７】
図１に本発明の濃縮装置の一具体例を示す。濃縮缶１に、被濃縮液タンク２からポンプ３により被濃縮液供給配管４を介して被濃縮液が供給される。
被濃縮液供給配管４には、流量計５および電気伝導度計６が取り付けられており、連続的に被濃縮液の供給流量Ｆおよび電気伝導度Ｃを測定することができる。
濃縮缶１の外側にはジャケット７があり、蒸気供給口８から蒸気が供給され、濃縮缶１を加熱して、被濃縮液の溶媒を蒸発させることができる。供給された蒸気は、蒸気排出口９から排出される。また、真空装置（図示せず）を用いて、真空配管１０を介して濃縮缶１内を減圧状態にして、低温で被濃縮液の溶媒を蒸発させることもできる。また、減圧状態で加熱して被濃縮液の溶媒を蒸発させることもできる。
濃縮缶１内の被濃縮液の量は、常に一定の液面を保つように濃縮缶１の側面に取り付けられた液面計１１で制御される。
濃縮晶析終了後、減圧加熱を解除し、払出し配管１２から得られたスラリーを排出する。【００１８】
図２に示すブロック図は、本発明の濃縮手順を示したものである。
濃縮晶析の前準備として、濃縮缶１を減圧し、加熱する。また、濃縮缶１内に入れるべき被濃縮液中の塩の総量に対応する所定値Ｖを入力する。所定値Ｖは、結晶を得る目的物質および目的物質を含む被濃縮液の成分に依存する。
所定値Ｖとして、濃縮缶１内に入れるべき被濃縮液中の塩の総量を直接用いることができる。また、上記するごとく、電気伝導度は被濃縮液の塩濃度と相関するため、電気伝導度と供給総量との積は、間接的に濃縮缶に供給される塩の総量を表す。そこで、所定値Ｖとして、電気伝導度と供給総量との積を用いることもできる。
被濃縮液を濃縮缶１に供給することによって、濃縮を開始する（濃縮開始時を測定時刻ｔ＝ｔ０とする）。濃縮を開始すると共に、流量計５および電気伝導度計６によって、被濃縮液の供給流量Ｆおよび電気伝導度Ｃの測定を開始する。
それぞれの測定値は、１秒毎に演算・制御部（図示せず）に取り込まれ、両者の積Ｐ（＝Ｃ×Ｆ）が演算される。各時刻における積Ｐの値を時刻ｔ０から測定時刻ｔまで積算した値がＱ（＝ΣＰ）である。この積算値Ｑから濃縮缶１内の塩の総量を算出する。供給流量Ｆ、電気伝導度Ｃおよび積算値Ｑは、制御室においてモニター表示され、オンラインで確認することが可能である。
この積算値Ｑが最初に入力した所定値Ｖに達した時点で濃縮を終了とする。
濃縮を終了した時点で被濃縮液の供給を止め、減圧加熱を解除した後、スラリーを払い出す。スラリーの払い出しが完了した時点で、次なる濃縮のための前準備を行なう。【００１９】
参考例１
図１に示す濃縮装置を用いて、本発明の方法を適用してフェドバッチ式でＬ−ロイシンの濃縮晶析を行なった。
濃縮晶析開始と同時に、Ｌ−ロイシン溶液の電気伝導度Ｃを電気伝導度計（桜エンドレス社製  スマーテックＣ ＣＬＤ１３０）で測定し、供給流量Ｆとともに演算・制御部であるＣＥＮＴＵＭ（横河電機社製）に取り込み、電気伝導度Ｃと供給流量Ｆとの積Ｐ（＝Ｃ×Ｆ）を演算し、さらに、積Ｐの積算値Ｑを演算した。濃縮晶析終了後、濃縮缶１内の濃縮処理液の電気伝導度ＣＴを測定した。
濃縮処理液の電気伝導度ＣＴと積算値Ｑとの関係を図３に示す。この図から、濃縮処理液の電気伝導度ＣＴと積算値Ｑとの間に相関性が見られる。【００２０】
比較例１
実施例１との比較のため、従来法によるＬ−イソロイシンの濃縮晶析法を説明する。図１に示す濃縮装置を用いて、フェドバッチ式で濃縮晶析を実施した。測定条件下で、Ｌ−イソロイシンの結晶が析出しない最大濃度は約４０ｇ／Ｌであるため、供給するＬ−イソロイシン溶液の濃度を３５ｇ／Ｌとした。また、このＬ−イソロイシン溶液には、溶液を得るまでの工程で添加された硫酸（３６ｍｏｌ／Ｌ）および水酸化ナトリウム（１９ｍｏｌ／Ｌ）により形成された硫酸ナトリウムが含有されている。
この従来法においては、供給流量Ｆを測定するのみで、電気伝導度測定は行わなかった。
濃縮中は、スラリーの液量を一定に保つように供給流量を制御した。この時、得られたＬ−イソロイシンの回収率は８１．０％であった。このアミノ酸の回収率の結果を表１に示す。【００２１】
実施例１
本発明による方法によるＬ−イソロイシンの濃縮晶析法を説明する。図１に示す濃縮装置を用いて、フェドバッチ式で濃縮晶析を実施した。測定条件下で、Ｌ−イソロイシンの結晶が析出しない最大濃度は約４０ｇ／Ｌであるため、供給するＬ−イソロイシン溶液の濃度を３５ｇ／Ｌとした。また、このＬ−イソロイシン溶液には、溶液を得るまでの過程で添加された硫酸（３６ｍｏｌ／Ｌ）および水酸化ナトリウム（１９ｍｏｌ／Ｌ）により形成された硫酸ナトリウムが含有されている。
濃縮晶析開始と同時に、Ｌ−イソロイシン溶液の電気伝導度を電気伝導度計（桜エンドレス社製  スマーテックＣ ＣＬＤ１３０）で測定し、供給流量とともに演算・制御部であるＣＥＮＴＵＭ（横河電機社製）に取り込み、１秒毎に電気伝導度Ｃ（ｍＳ／ｃｍ）と供給流量Ｆ（ｋＬ／ｈ）との積Ｐを演算し、さらに、積Ｐの積算値Ｑ（ｋＬ・ｍＳ／ｃｍ）を演算した。
その積算値Ｑが、あらかじめ入力しておいた所定値Ｖ（ｋＬ・ｍＳ／ｃｍ）に達した時点で、Ｌ−イソロイシン溶液の供給を止め、濃縮を終了した。Ｌ−イソロイシンに対する好ましい所定値Ｖの範囲は７００〜８００ｋＬ・ｍＳ／ｃｍであるが、この実施例において、所定値Ｖを７５０ｋＬ・ｍＳ／ｃｍと設定した。
本発明の方法を適用した場合、Ｌ−イソロイシン溶液の全供給量は従来法に対して３０％増加し、従来法よりも濃縮度は向上した。この時、得られたＬ−イソロイシンの回収率は８７．４％であった。このアミノ酸の回収率および純度の結果をそれぞれ表１および表２に示す。【００２２】
実施例２
Ｌ−バリンおよびＬ−ロイシンでも、比較例１および実施例１と同様の方法で濃縮晶析を実施した。
測定条件下で、Ｌ−バリンの結晶が析出しない最大濃度は約６０ｇ／Ｌであるため、供給するＬ−バリン溶液の濃度を５０ｇ／Ｌとした。また、Ｌ−ロイシンの結晶が析出しない最大濃度は約２５ｇ／Ｌであるため、供給するＬ−ロイシン溶液の濃度を２３ｇ／Ｌとした。
Ｌ−バリンに対する好ましい所定値Ｖの範囲は３５０〜４５０ｋＬ・ｍＳ／ｃｍであるが、この実施例において、所定値Ｖを４００ｋＬ・ｍＳ／ｃｍと設定した。また、Ｌ−ロイシンに対する好ましい所定値Ｖの範囲は６５０〜７５０ｋＬ・ｍＳ／ｃｍであるが、この実施例において、所定値Ｖを７００ｋＬ・ｍＳ／ｃｍと設定した。
これらのアミノ酸の回収率および純度の結果をそれぞれ表１および表２に示す。【００２３】
【表１】
0005319923.tif 000002
【００２４】
【表２】
0005319923.tif 000003
【００２５】
表１および２に示すとおり、本発明の方法で濃縮晶析を行なうことにより、従来法と同等の純度で回収率が約５〜１０％向上した。
【図１】
0005319923.tif 000004
【図２】
0005319923.tif 000005
【図３】
0005319923.tif 000006